(57)【要約】　【課題】ロック操作手段の構成を簡素化して、浄水器に対する原水管及び浄水管の着脱作業をより一層容易に行うことができる浄水器用連結具を提供すること。【解決手段】浄水器の流入口部に着脱可能な原水管接続部材７１と、浄水器の流出口部に着脱可能な浄水管接続部材７３とを備えた浄水器用連結具７０において、これら接続部材７１，７３は一体に結合され（７５）、かつ両接続部材７１，７３は前記流入口部又は流出口部に対し解除可能なロック部材７７が設けられている。【選択図】　図　１３【特許請求の範囲】
【請求項１】
　浄水器の流入口部に着脱可能な原水管接続部材と、浄水器の流出口部に着脱可能な浄水管接続部材とを備えた浄水器用連結具であって、これら接続部材の一方には前記流入口部又は流出口部とロックできるロック部材と、該ロック部材のロックと、そのロックを解除操作ができる接続部材の径方向外方に伸びる操作部材とを設けたことを特徴とする浄水器用連結具。
【請求項２】
　前記ロック部材は、前記接続部材の少なくとも一方に設けた下側筒状部材と、該筒状部材に対して摺動自在の上側部材および前記操作部材とから成り、前記下側筒状部材の浄水器側には貫通孔が形成され、該貫通孔には上側部材と下側筒状部材間に配設したスプリングにより貫通孔の径方向内方に一部が突出した係止球体が設けられ、ロック解除時に、前記操作部材を押上げることにより、前記上側部材がスプリング力に抗して下側筒状部材上を摺動し、前記係止球体が半径方向外方に移動可能となるように構成した請求項１に記載の浄水器用連結具。
【請求項３】
　前記両接続部材には該部材を一体に固定する接続部材の径方向外方に伸びる結合部材を備えていることを特徴とする請求項１又は２に記載の浄水器用連結具。
【発明の詳細な説明】
【技術分野】
【０００１】
　本発明は、浄水器の流入口部及び流出口部に原水管及び浄水管を接続する時に用いられる浄水器用連結具の改良に関する。
【背景技術】
【０００２】
　従来から、小型の浄水器を用いて水道水に含まれる水道管の鉄錆や残留塩素等の不純物を各家庭毎で除去することが行われている。前記した浄水器は、種々の形式のものが従来から提案されているが、ハウジングの内部に、不純成分を除去する活性炭及び／又は中空糸膜等の浄化用部材を設け、前記ハウジングに浄化すべき水道水（以下、原水と称する。）を通す原水管と、浄化後の水（以下、浄水と称する。）を通す浄水管とを接続し、原水管から供給される原水を前記浄化用部材に通して浄化し、浄化後の浄水を浄水管を介して放水用水栓に送る構造の浄水器が一般に広く利用されている。
【０００３】
　前記した形式の浄水器は、活性炭や中空糸膜等の浄化用部材を通して原水を浄化するため、長期間使用すると活性炭の吸着力の低下や中空糸膜の目詰まり等が原因で浄化能力が低下するため、適当なサイクルでハウジング内部の浄化用部材、或いは浄水器それ自体を取り替える必要があり、この取り替え作業のために、浄水器と原水管及び浄水管とは着脱可能に構成されている。上記した浄水器の取り替え作業を容易にするために、原水管及び浄水器の流入口部、浄水管及び浄水器の流出口部を各々ワンタッチ継手で接続することが既に提案されている（特許文献１参照）。
【０００４】
　これによれば、浄水器を原水管及び浄水管から容易に取り外すことができるので、例えば、ハウジング内部の浄化用部材を取り替える作業が原水管や浄水管に制限されることなく手元で行うことができるという利点があり、また、浄水器自体を取り替える場合にも取り替え作業が非常に容易になるという利点がある。
【特許文献１】特開平３−２４２２８５号（第２頁右欄、図１）
【発明の開示】
【発明が解決しようとする課題】
【０００５】
　しかしながら、上記した接続構造は、原水管及び浄水器の流入口部の取り外し作業と、浄水管及び浄水器の流出口部の取り外し作業を別個に行わなければならないという煩わしさが残るため未だ改良の余地がある。
【０００６】
　本発明は、上記した従来の問題点に鑑みて、ロック操作手段の構成を簡素化して、浄水器に対する原水管及び浄水管の着脱作業をより一層容易に行うことができる浄水器用連結具を提供することを目的とする。
【課題を解決するための手段】
【０００７】
　上記した目的を達成するために、本発明の請求項１に係る浄水器用連結具は、浄水器の流入口部に着脱可能な原水管接続部材と、浄水器の流出口部に着脱可能な浄水管接続部材とを備えた浄水器用連結具であって、これら接続部材の一方には前記流入口部又は流出口部とロックできるロック部材と、該ロック部材のロックと、そのロックを解除操作ができる接続部材の径方向外方に伸びる操作部材とを設けたことを特徴とするものである。また、本発明の請求項２に係る浄水器用連結具は、前記ロック部材が、前記接続部材の少なくとも一方に設けた下側筒状部材と、該筒状部材に対して摺動自在の上側部材および前記操作部材とから成り、前記下側筒状部材の浄水器側には貫通孔が形成され、該貫通孔には上側部材と下側筒状部材間に配設したスプリングにより貫通孔の径方向内方に一部が突出した係止球体が設けられ、ロック解除時に、前記操作部材を押上げることにより、前記上側部材がスプリング力に抗して下側筒状部材上を摺動し、前記係止球体が半径方向外方に移動可能となるように構成したことを特徴とするものである。さらに、本発明の請求項３に係る浄水器用連結具は、前記両接続部材には該部材を一体に固定する接続部材の径方向外方に伸びる結合部材を備えていることを特徴とするものである。
【発明の効果】
【０００８】
　以上説明したように、本発明の請求項１に係る浄水器用連結具は、原水管接続部材又浄水管接続部材の一方に流入口部又は流出口部とロックできるできるロック部材と、このロック部材のロックと、そのロックを解除できる操作プレートとを設けたので、ロック操作手段が簡素に構成でき、しかも操作もし易いので浄水器２０の交換作業が非常に簡単になるという効果を奏する。また、本発明の請求項２に係る浄水器用連結具は、操作部材の押上げで簡単にロックが解除でき、ロック時にはスプリング力により確実に係止球体が浄水器と接続部材を連結保持できる効果を奏する。さらに、本発明の請求項３に係る浄水器用連結具は、原水管接続部材と浄水管接続部材を一体に固定する結合プレートを備えているので、連結具７０の着脱作業が浄水器２０の流入口部および流出口部に対し別々に行うことなく一回の操作で済むので、浄水器２０の交換作業が非常に簡単になるという効果を奏する。
【発明を実施するための最良の形態】
【０００９】
　以下、添付図面に示した一実施例を参照して本発明に係る浄水器連結具の実施の形態を説明する。図１は、本発明に係る浄水器用連結具を適用したキッチンユニットにおける流し台の概略縦断面図を示している。 
【００１０】
　図中、符号１は流し台を示している。この流し台１は、不図示のシンクを備えた天板２を有し、該天板２の下方には食品等を収納する収納庫３が形成されている。前記天板２には、シンク内に温水、常温水、又は浄水を選択的に放水できる混合水栓４が設けられている。また、収納庫３には、不図示の水道管に接続された常温水元栓５と不図示の温水源に接続された温水元栓６とが設けられており、これらの元栓５，６は収納庫３の奥板３ａから収納庫３内に突出している。これら常温水元栓５及び温水元栓６は各々常温水管７及び温水管８を介して混合水栓４に接続され、温水及び常温水を混合水栓４に送る。
　（浄水器の配置について）
【００１１】
　前記した収納庫３内には、浄水器２０が収納されている。この浄水器２０は、棚板９上に取り付けられた浄水器支持ケース１０によって支持されている。前記浄水器支持ケース１０は有底円筒形の形状に成形されており、浄水器２０が収納庫３の奥板３ａから突出している常温水元栓５と温水元栓６との間の空間に位置するように位置決めされ、その位置で、底板（符号なし）がボルト等の適当な固定手段で棚板９に固定されている。
【００１２】
　この浄水器２０は、原水管１１及び浄水管１２を介して混合水栓４に接続されている。前記原水管１１には常温水管７から混合水栓４に供給される水道水（以下、原水という）がそのまま供給され、浄水器２０は、この原水管１１を介して供給される原水を浄化し、浄水管１２を通して浄化された原水（以下、浄水という）を混合水栓４に送る。
【００１３】
　前記原水管１１及び浄水管１２は、各々混合水栓４から略真っ直ぐに下方に延びる銅管部１１ａ，１２ａと、一端が銅管部１１ａ，１２ａの下端に接続され、他端が浄水器２０に接続される可撓性部１１ｂ，１２ｂとから成る。
【００１４】
　原水管１１及び浄水管１２における各可撓性部１１ｂ，１２ｂは各々左右にループを描くように配索されており、これにより、各管１１，１２内を原水や浄水が通る時に生じる浄水器２０の取付部分（即ち、浄水器支持ケース１０の取付部分）に係る負荷が一点に集中しないように分散でき、また、浄水器２０自体の左右バランスを向上させる。
　（浄水器２０の構成について）
【００１５】
　次に、前記した浄水器２０の構成について図２〜図８を参照して説明する。図２は浄水器２０の正面図、図３は浄水器２０の背面図、図４は浄水器２０の右側面図、図５は浄水器２０の左側面図、図６は浄水器２０の上面図、図７は浄水器２０の底面図、及び図８は浄水器２０の部分縦断面図を各々示している。
【００１６】
　図面に示すように、この浄水器２０は、両端が閉鎖された円筒状のハウジング２１の内部に第一濾過室Ａと第二濾過室Ｂとを形成し、その上部に設けられた流入口２３からハウジング内部に供給される原水を、第一濾過室Ａ、第二濾過室Ｂの順に通過させて浄化し、浄化後の浄水を流出口２５からハウジング外部に排水するように構成されている。
　（ハウジングの構成について）
【００１７】
　前記ハウジング２１は、アッパーハウジング２７とロアハウジング２９とから成る。アッパーハウジング２７の下部外面には雄ねじ３１が形成され、また、ロアハウジング２９の内面には雌ねじ３３が形成されており、これら雄ねじ３１と雌ねじ３３とによって、アッパーハウジング２７とロアハウジング２９とは分離可能に結合できるように構成されている。
【００１８】
　アッパーハウジング２７の外面における前記雄ねじ３１より下方の部分には、円筒状の溝３５が形成されており、この溝３５にはＯリング３７が装着されている。
【００１９】
　前記したＯリング３７は、その断面の直径が、少なくとも前記溝３５の深さより大きいものが利用され、これにより、Ｏリング３７はアッパーハウジング２７とロアハウジング２９とをねじ結合した時に、アッパーハウジング２７の外面とロアハウジング２９の内面との間に挟まり、ねじ結合部分からハウジング２１内の水が外部に漏れないようにハウジング２７，２９の連結部分をシールする。
　（漏受部について）
【００２０】
　ロアハウジング２９の前記雌ねじ３３の上方には、径方向外方に拡径され、上方に延長する漏受部３９が一体に成形されている。この漏受部３９は、ロアハウジング２９とアッパーハウジング２７と結合した時に、アッパーハウジング２７の外面と当該漏受部３９との内面との間に若干の間隙を形成し、原水管１１や浄水管１２を浄水器２０から取り外した時にハウジング２１内に残る残圧によって流入口２３や流出口２５から漏れてアッパーハウジング２７の外面を伝って下方に流れ落ちる漏れ水を受け止める。
【００２１】
　また、アッパーハウジング２７の外面における前記雄ねじ３１の上方には環状のシール用突出部４１が一体に成形されており、ロアハウジング２９とアッパーハウジング２７とを結合した時に、前記突出部４１がロアハウジング２９における漏受部３９の下端を画定する段部と係合（好ましくは、液密に係合）して、漏受部３９で受け止める漏れ水が、アッパーハウジング２７とロアハウジング２９とのねじ結合部分に侵入することを防止する。
　（中空糸膜ケースについて）
【００２２】
　前記ハウジング２１の内部には、ハウジング２１の内部を第一濾過室Ａと第二濾過室Ｂとに仕切る上端が開放した有底円筒形の中空糸膜ケース４３が収納されている。この中空糸膜ケース４３は、その内部に多数の中空糸膜Ｃを収納している。
【００２３】
　また、アッパーハウジング２７は、その上板２７ａの内面に下方に延長する前記中空糸膜ケース用の円筒形のガイド部材４５が一体に成形されている。このガイド部材４５は、ハウジング２１と同じ軸線上に位置するように位置決めされ、中空糸膜ケース４３を、それがハウジング２１と同じ軸線上に位置するようにガイドする。
【００２４】
　中空糸膜ケース４３は、その上部を前記ガイド部材４５に挿入した後、アッパーハウジング２７に溶着固定され、これにより、中空糸膜ケース４３はハウジング２１の略中央に位置し、ハウジング２１の中を中空糸膜ケース４３の周囲の空間（第一濾過室Ａ）と中空糸膜ケース４３の内部の空間（第二濾過室Ｂ）とに区画する。
【００２５】
　前記中空糸膜ケース４３は、その長手方向の長さがハウジング２１の内部空間の長手方向の長さより短く成形されている。また、前記中空糸膜ケース４３の底板４３ａは球状の形状に成形され、かつ、多数の連通孔４３ｂが穿設されており、この連通孔４３ｂによって第一濾過室Ａと第二濾過室Ｂとは連通している。
【００２６】
　また、ロアハウジング２９の底板２９ａには、前記中空糸膜ケース４３の底板４３ａの曲率と略同じ曲率の球面状部２９ｂが成形されており、ハウジング組立時に中空糸膜ケース４３の底板４３ａと前記球面状部２９ｂとが互いに向き合うように配置される。
【００２７】
　このように、互いに向き合う底板４３ａ及び２９ａを略同じ曲率で球状に成形することにより、中空糸膜ケース４３自体の長手方向の長さを必要以上に短くしたり、また、ハウジング２１の長手方向の長さを必要以上に長くしたりすることなく、中空糸膜ケース４３の底板４３ａとロアハウジング２９の底板２９ａとの間に十分に広い流路を確保することができるようになる。
　（第一濾過室について）
【００２８】
　前記第一濾過室Ａ、即ち、ハウジング２１の内部空間における中空糸膜ケース４３の周囲の空間には粒状活性炭Ｄが充填されている。前記した粒状活性炭Ｄは、その上下が不織布で構成された保持フィルタ４７，４９によって保持されている。
　（下側保持フィルタの支持構造について）
【００２９】
　前記下側保持フィルタ４９は、アッパーハウジング２７の内径より若干大きい直径を有する円板状に形成されており、その中心に中空糸膜ケース４３の外径と略同じ寸法の直径を有する中央開口４９ａが穿設されている。この下側保持フィルタ４９は、支持部材５３を介してハウジング２１内に支持されている。
【００３０】
　前記支持部材５３は、図９（ａ），（ｂ）に示すように、前記下側保持フィルタ４９と略同じ直径を有する円板５３ａと、該円板５３ａの下面から下方に伸びるスリット５３ｅ付き円筒状の脚部５３ｂとから構成されている。
【００３１】
　前記円板５３ａの中心には、中空糸膜ケース４３の外径と略同じ寸法の直径を有する一つの中央開口５３ｃが穿設されており、また、この中央開口５３ｃの周囲には、浄化すべき水が通過し得る多数の連通孔５３ｄが形成されている。
【００３２】
　また、アッパーハウジング２７の下端内縁には、径方向外方に広がる円周状の段部２７ｂが形成されており、また、ロアハウジング２９の前記球面状部分２９ｂの周囲には、支持部材５３の脚部５３ｂを受け止める平面状の受座２９ｃが形成されている。
【００３３】
　これにより、支持部材５３の円板５３ａの上面に下側保持フィルタ４９を載置し、それらを、中央開口４９ａ及び５３ｃの位置で中空糸膜ケース４３に装着し、その後、アッパーハウジング２７とロアハウジング２９とを結合すると、ロアハウジング２９の受座２９ｃとアッパーハウジング２７の下端内縁の段部２７ｂとによって下側保持フィルタ４９及び支持部材５３が挾持される。
【００３４】
　このように、下側保持フィルタ４９を、支持部材５３と共に、ロアハウジング２９の受座２９ｃとアッパーハウジング２７の下端内縁の段部２７ｂとで挾んで支持することにより、従来のように活性炭保持用フィルタを支持部材に溶着する等の作業を必要とせず、単に下側保持フィルタ４９を支持部材５３の円板５３ａ上に載せてハウジング２１を組み立てるだけで下側保持フィルタ４９を所定の位置に支持できるようになり、保持フィルタ用の溶着設備及び製造時の溶着行程が必要なくなり、製造効率が上がり、製造コストも低減できる。
　（上側保持フィルタの支持構造について）
【００３５】
　また、前記保持フィルタ４７は、アッパーハウジング２７の内径と略同じ寸法の直径を有する円板状に形成されており、その中心に中空糸膜ケース４３の外径と略同じ寸法の直径を有する中央開口４７ａが穿設されている。この上側保持フィルタ４７は、支持部材５１を介してハウジング２１内に支持されている。
【００３６】
　支持部材５１は、前記上側保持フィルタ４７と略同じ直径を有する円板から成る。この支持部材５１は、前述した下側保持フィルタ用の支持部材５３における円板部５３ａと略同じ構成をしており、前記円板５３ａと同様に、中空糸膜ケース４３が貫通する一つの中央開口５１ａと、浄化すべき水が通過し得る複数の連通孔５１ｂが穿設されている。
【００３７】
　中空糸膜ケース４３の外面の上部には、これら支持部材５１及び上側保持フィルタ４７を支持するための環状の支持リング４３ｃが一体的に突設されており、前記支持部材５１の上面に上側保持フィルタ４７を載せ、支持部材５１が下側に位置するように中空糸膜ケース４３の上部に装着した後、中空糸膜ケース４３をアッパーハウジング２７のガイド部材４５に挿入して溶着固定すると、上側保持フィルタ４７と支持部材５１とが、ガイド部材４５の下端と中空糸膜ケース４３の支持リング４３ｃとで挾まれて保持される。
【００３８】
　このように、上側保持フィルタ４７を、支持部材５１と共に、ガイド部材４５の下端と中空糸膜ケース４３の支持リング４３ｃとで挾んで支持することにより、従来のように活性炭保持用フィルタを支持部材に溶着する等の作業を必要とせず、単に上側保持フィルタ４７を支持部材５１の上に載せてアッパーハウジング２７と中空糸膜ケース４３とを組み立てるだけで上側保持フィルタ４７を所定の位置に支持できるようになり、保持フィルタ用の溶着設備及び製造時の溶着行程が必要なくなり、製造効率が上がり、製造コストも低減できる。
　（流入口及び流出口の構成について）
【００３９】
　アッパーハウジング２７の上板２７ａには、流入口２３及び流出口２５を形成する流入口部２４及び流出口部２６が一体に突設されている。流入口部２４はハウジング２１の第一濾過室Ａと連通し得る位置に、また、流出口部２６はハウジング２１の第二濾過室Ｂと連通し得る位置に各々配置されている。また、前記流入口部２４及び流出口部２６には各々後述する連結具７０の係止球体１０１が係止し得る環状の係止溝２４ａ及び２６ａが各々形成されている。
　（浄水器の作用について）
【００４０】
　上記したように構成された浄水器２０は、収納庫３の棚板９に固定された浄水器支持ケース１０に挿入されて支持される。前記した流入口部２４及び流出口部２６には、連結具７０を介して原水管１１及び浄水管１２が連結される。
【００４１】
　これにより、流入口部２４を介してハウジング２１内に流入した原水は、上側保持フィルタ４７を通過して第一濾過室Ａ内に入り、前記上側保持フィルタ４７を通過する時にゴミや鉄錆等が濾過され、また、第一濾過室Ａを通過する時に第一濾過室Ａに充填された粒状活性炭Ｄにより残留塩素やトリハトメタン等が取り除かれる。
【００４２】
　第一濾過室Ａを通過した水は、下側保持フィルタ４９を通過して、中空糸膜ケース４３の底板４３ａに形成された連通孔４３ｂから第二濾過室Ｂへ、即ち、中空糸膜ケース４３内に入り、その内部に収納された中空糸膜Ｃを通過する時に濁り成分や鉄錆等が除去される。第二濾過室Ｂを通過して浄化が終了した浄水は、流出口部２６を通って浄水管１２により混合水栓４に供給される。
　（連結具の構成について）
【００４３】
　次に、浄水器２０の流入口部２４及び流出口部２６と原水管１１及び浄水管１２とを連結する連結具７０の構成について図１０〜図１４を参照して説明する。図１０は連結具７０の正面図、図１１は図１０の連結具７０の上面図、図１２は図１０の連結具７０の右側面図、図１３は図１０の連結具７０から締付部材７８を取り外した状態での部分縦断面図、及び図１４は連結具７０に流入口部２４、流出口部２６、及び浄水器２０を装着した状態を示す概略縦断面図である。
【００４４】
　図面に示すように、この連結具７０は、原水管接続部材７１と、浄水管接続部材７３と、二つの接続部材７１及び７３を結合する結合プレート（結合部材）７５と、二つの接続部材７１及び７３に共通のロック部材７７とから成る。始めに各接続部材７１及び７３について説明する。尚、原水管接続部材７１と浄水管接続部材７３とは同じ構成であるので、ここでは、浄水管接続部材７３の構成のみを説明し、原水管接続部材７１については浄水管接続部材７３と同じ符号を付して重複する説明は省略する。また、ここではロック部材が二つの接続部材７１及び７３の双方に設けられているが、何れか一方の接続部材だけに設けるようにしてもよい。
【００４５】
　浄水管接続部材７３は、二つの筒状部材７９，８１を備えている。これら二つの筒状部材７９，８１は図１３に示すように直列に連結され、内部に一本の浄水流路８５を画定する。上側の筒状部材７９は、その上部に浄水管１２を装着する細径の装着部７９ａが一体に成形されている。
【００４６】
　この装着部７９ａは、その外周面に環状の係止つめ７９ｂが複数段成形されており、浄水管１２を装着部７９ａに装着した後、締付部材７８を、さらに上側筒状部材７９に装着して、締付部材７８で浄水管１２の装着部分を径方向内方に押し付けることにより、浄水管１２の内面が前記係止つめ７９ｂにしっかり係止して、浄水管１２が確実に装着部７９ａに保持されるように構成されている（図１３，１４参照）。
【００４７】
　下側の筒状部材８１は、その内面の略中間部分に幾つかの段部が形成されており、上方からシールリング８６及び弁装置８７を順に挿入し、最後に前記上側筒状部材７９を圧入すると、前記シールリング８６及び弁装置８７が、下側筒状部材８１の内面の段部と上側筒状部材７９の下端との間に挾まれて保持される。前記弁装置８７は、弁座９３と、弁体９５ｂを備えた開閉部材９５と、開閉部材用の案内筒９７と、スプリング９９とから成る。
【００４８】
　弁座９３及び案内筒９７は前記したように上側筒状部材７９の下端と下側筒状部材８１の内面の段部とにより挾持されている。また、開閉部材９５は円筒状の本体を備え、この円筒状本体の上端縁に上方に伸びる幾つかのつめ体９５ａが一体に成形され、かつ、前記つめ体９５ａの上端に弁体９５ｂが一体に成形されている。
【００４９】
　開閉部材９５は、弁体９５ｂが弁座９３の上方に位置するように、その円筒状本体部分が案内筒９７の内側に上下に摺動可能に支持されており、弁体９５ｂが弁座９３の開口９３ａを塞ぐようにスプリング９９によって常時下方に付勢されている。
【００５０】
　上記した弁装置８７は、図１４に示すように連結具７０を浄水器２０に接続する時に、流出口部２６がスプリング９９の力に抗して開閉部材９５、即ち、弁体９５ｂを上方に押し上げ、弁座９３に形成された開口９３ａを開放して浄水管接続部材７３の内部の浄水流路８５を連通させる。また、前記下側筒状部材８１は、その下部の周壁に径方向に貫通する複数の貫通孔１００が同一円周上に並ぶように穿設されている。各貫通孔１００は径方向内方に向けて縮径するように形成されており、内部で係止球体１０１を保持している。また、この下側筒状部材８１の下部にはロック部材７７が上下に摺動可能に装着されている。
【００５１】
　このロック部材７７は、各接続部材７１，７３毎に設けられる筒状の上側部材１１０と、二つの接続部材７１，７３共通の操作プレート（操作部材）１１１とから成る。上側部材１１０と下側筒状部材８１との間にはスプリング１０３が介装されており、このスプリング１０３によってロック部材７７は常時下方に向けて付勢されている。また、この上側部材１１０は、その下端に径方向内方に伸びる複数のフランジ部１１０ａが一体に成形されている。
【００５２】
　これらのフランジ部１１０ａは下側筒状部材８１の貫通孔１００の位置と合致し、貫通孔１００の内部に入り込み、係止球体１０１を常時内方に押している。前記操作プレート１１１は、各接続部材７１，７３の下側筒状部材８１及び上側部材１１０を挿入し得る二つの貫通孔１１１ａを備え、また、各貫通孔１１１ａの下端縁には、その径方向外方に広がる複数の切欠き１１１ｂが形成されている。この切欠き１１１ｂは下側筒状部材８１の下部に穿設された貫通孔１００に対応する位置に、貫通孔１００と同じ数だけ形成されている。
【００５３】
　従って、操作プレート１１１を、前記切欠きが貫通孔１００と合致する位置まで、スプリング１０３の力に抗して引き上げると、貫通孔１００内に保持されている係止球体１０１が前記切欠き１１１ｂ側に移動可能になり、この状態で連結具７０を浄水器２０に装着すると、浄水器２０の流出口部２６が（原水管接続部材７１の場合は流入口部２４が）、係止球体１０１を径方向外方に押出しながら浄水管接続部材７３内の浄水流路８５（原水管接続部材７１の場合は原水流路８５’）に入り込み、前記したように弁装置８７の弁体９５ｂを押し上げて、浄水流路８５（原水流路８５’）を連通させる。
【００５４】
　流出口部２６が所定の位置まで達した時に、操作プレート１１１を解放すると、スプリング１０３の力で上側部材１１０が、そのフランジ部１１０ａで係止球体１０１を径方向内方に押し戻しながら下方に摺動して前記フランジ部１１０ａが貫通孔１００と合致する位置まで下方に下がり、フランジ部１１０ａが貫通孔１００の内部に入り込んで再び係止球体１０１を径方向内方に付勢する。
【００５５】
　この状態において、係止球体１０１は、その一部が下側筒状部材８１の内面から内方に突出して、流出口部２６の外面に形成された係止溝２６ａ（流入口部２４の場合は係止溝２４ａ）内に入り込み、流出口部２６（及び流入口部２４）をロックする。これにより、流出口部２６（及び流入口部２４）と連結具７０とは、ロック部材７７の操作プレート１１１を引き上げない限り外れなくなる。
【００５６】
　原水管接続部材７１も上記した浄水管接続部材７３と全く同じ構成であり、これら原水管接続部材７１と浄水管接続部材７３とは、その中間部分が結合プレート７５により結合され、また、その下側部分が前記したようにロック部材７７の操作プレート１１１によって結合されている。
【００５７】
　尚、好ましくは、前記結合プレート７５及び操作プレート１１１は、原水管接続部材７１及び浄水管接続部材７３に対して爪等で係止するように構成され得、これにより、結合プレート７５及び操作プレート１１１に対して各接続部材７１及び７３が、それらの軸線周りに回転できるようになり、各接続部材７１及び７３に接続された原水管１１及び浄水管１２のねじれを防止することが可能になる。
【００５８】
　このように、原水管接続部材７１と浄水管接続部材７３とを結合し、かつ、それらのロック部材７７の操作プレート１１１を一体にすることにより、一回の動作で連結具７０を浄水器２０に連結することが可能になり、浄水器２０の着脱が非常に容易になる。また、上記したようにロック部材７７を原水管接続部材７１又は浄水管接続部材７３の一方側だけに設けた場合には、操作プレート１１１は一つのロック部材だけにしか設けられていないことはいうまでもない。
【００５９】
　また、前記結合プレート７５及びロック部材７７の操作プレート１１１には、誤接続防止用孔７５ａ及び１１１ｃが穿設されており、浄水器２０のアッパーハウジング２７の上面には誤接続防止用棒２７ｃが立設されている。これら誤接続防止用孔７５ａ，１１１ｃ及び誤接続防止用棒２７ｃは連結具７０が浄水器２０に正確に取り付けられる時のみ合致するように位置決めされており、これにより浄水器２０に対する連結具７０の誤接続は確実に防止される。
　（別の適用例）
【００６０】
　本発明に係る浄水器用連結具は、本実施例に限定されることなく、任意の形式の浄水器に適用することができる。本実施例に示した浄水器用連結具は、結合プレート（結合部材）７５及び操作プレート（操作部材）１１１に形成した誤接続防止用孔７５ａ、１１１ｃで誤接続防止手段を構成しているが、誤接続防止手段の構成は本実施例に限定されることなく、浄水器用連結具が正常な接続状態の時のみ浄水器に接続できるように構成されていれば任意の構成でよく、例えば、前記した誤接続防止用孔を単に切欠きで構成してもよく、また、結合プレート７５又は操作プレート１１１の何れか一方だけに誤接続防止用孔を設けてもよく、また、接続時に浄水器用連結具と浄水器とが接触する部分に相互に嵌合し得る突起と、孔又は凹み等を形成して誤接続防止手段を構成してもよく、さらに、原水管接続部材及び流入口部の接続部分の形状や寸法等を、浄水管接続部材及び流出口部の形状や寸法等と変えることにより誤接続防止手段を構成してもよい。
【００６１】
　そして、原水管用接続部材及び浄水管用接続部材の構成は本実施例に限定されることなく、浄水器の流入口部及び流出口部に対して液密に、かつ、着脱可能に接続できる構成であれば任意の構成でよく、例えば、内部にシールリングを備え、該シールリングで装着時に接続部分をシールし、かつ流入口部及び流出口部を保持できるように構成してもよい。
【００６２】
　また、浄水器用連結具のロック部材のロック機構は本実施例に限定されることなく、既存の任意の形式のロック機構が適用され得る。また、本実施例では、ロック部材に一つの操作プレートを設け、該操作プレートで各接続部材のロック及びロック解除操作ができるように構成されているが、この構成は本実施例に限定されることなく、例えば、各々ロック及びロック解除操作を独立して行える操作手段を備えた接続部材の各操作手段を適当な結合手段で結合して構成したり、ロック部材を一方側だけに設けて一つの操作プレートで操作するようにしてもよい。
【図面の簡単な説明】
【００６３】
【図１】本発明に係る浄水器用連結具を適用したキッチンユニットにおける流し台の概略縦断面図である。
【図２】図１の浄水器２０の正面図である。
【図３】図２の浄水器２０の背面図である。
【図４】図２の浄水器２０の右側面図である。
【図５】図２の浄水器２０の左側面図である。
【図６】図２の浄水器２０の上面図である。
【図７】図２の浄水器２０の底面図である。
【図８】図２の浄水器２０の部分縦断面図である。
【図９】（ａ）は下側保持フィルタ用の支持部材の下面図であり、（ｂ）は図９（ａ）におけるＡ−Ａ断面図である。
【図１０】連結具７０の正面図である。
【図１１】図１０の連結具７０の上面図である。
【図１２】図１０の連結具７０の右側面図である。
【図１３】図１０の連結具７０から締付部材７８を取り外した状態での部分縦断面図である。
【図１４】連結具７０に流入口部２４、流出口部２６、及び浄水器２０を装着した状態を示す概略縦断面図である。
【符号の説明】
【００６４】
　　１・・・流し台
　　２・・・天板
　　３・・・収納庫
　　３ａ・・・奥板
　　４・・・混合水栓
　　５・・・常温水元栓
　　６・・・温水元栓
　　７・・・常温水管
　　８・・・温水管
　　９・・・棚板
　　１０・・・浄水器支持ケース
　　１１・・・原水管
　　１１ａ・・・銅管部
　　１１ｂ・・・可撓性部
　　１２・・・浄水管
　　１２ａ・・・銅管部
　　１２ｂ・・・可撓性部
　　−−浄水器−−−
　　２０・・・浄水器
　　２１・・・ハウジング
　　２３・・・流入口
　　２４・・・流入口部
　　２４ａ・・・係止溝
　　２５・・・流出口
　　２６・・・流出口部
　　２６ａ・・・係止溝
　　２７・・・アッパーハウジング
　　２７ａ・・・上板
　　２７ｂ・・・段部
　　２７ｃ・・・誤接続防止用棒
　　２９・・・ロアハウジング
　　２９ａ・・・底板
　　２９ｂ・・・球面状部分
　　２９ｃ・・・受座
　　３１・・・雄ねじ（アッパーハウジング側）
　　３３・・・雌ねじ（ロアハウジング側）
　　３５・・・溝（Ｏリング装着用）
　　３７・・・Ｏリング
　　３９・・・漏受部
　　４１・・・シール用突出部
　　４３・・・中空糸膜ケース
　　４３ａ・・・底板
　　４３ｂ・・・連通孔
　　４３ｃ・・・支持リング
　　４５・・・円筒形ガイド部材
　　４７・・・保持フィルタ（上側）
　　４７ａ・・・中央開口
　　４９・・・保持フィルタ（下側）
　　４９ａ・・・中央開口
　　５１・・・支持部材（上側）
　　５１ａ・・・中央開口
　　５１ｂ・・・連通孔
　　５３・・・支持部材（下側）
　　５３ａ・・・円板
　　５３ｂ・・・脚部
　　５３ｃ・・・中央開口
　　５３ｄ・・・連通孔
　　−−連結具−−−
　　７０・・・連結具
　　７１・・・原水管接続部材
　　７３・・・浄水管接続部材
　　７５・・・結合プレート（結合部材）
　　７５ａ・・・誤接続防止用孔
　　７７・・・ロック部材
　　７８・・・締付部材
　　７９・・・筒状部材（上側）
　　７９ａ・・・装着部
　　７９ｂ・・・係止つめ
　　８１・・・筒状部材（下側）
　　８５・・・浄水流路
　　８６・・・シールリング
　　８７・・・弁装置
　　９３・・・弁座
　　９３ａ・・・開口
　　９５・・・開閉部材
　　９５ａ・・・つめ体
　　９５ｂ・・・弁体
　　９７・・・案内筒
　　９９・・・スプリング
　　１００・・・貫通孔
　　１０１・・・係止球体
　　１０３・・・スプリング
　　１１０・・・上側部材
　　１１０ａ・・・フランジ部
　　１１１・・・操作プレート（操作部材）
　　１１１ａ・・・貫通孔
　　１１１ｂ・・・切欠き
　　１１１ｃ・・・誤接続防止用孔
【図１】
2004066237.tif 000002
【図２】
2004066237.tif 000003
【図３】
2004066237.tif 000004
【図４】
2004066237.tif 000005
【図５】
2004066237.tif 000006
【図６】
2004066237.tif 000007
【図７】
2004066237.tif 000008
【図８】
2004066237.tif 000009
【図９】
2004066237.tif 000010
【図１０】
2004066237.tif 000011
【図１１】
2004066237.tif 000012
【図１２】
2004066237.tif 000013
【図１３】
2004066237.tif 000014
【図１４】
2004066237.tif 000015